(57)【要約】【課題】作業対象物に対する作業を実施する場合において、当該作業対象物の近傍に設置された喫煙ボックスが障害となる不都合を抑制する。【解決手段】設備（例えば遊技機島２００）の一部に配置された作業対象物（例えば金庫４０）を内包しつつ該設備に隣接配置されて喫煙空間を形成するボックス本体を具備する喫煙ボックスであって、設備と対向するボックス本体の一方の壁部には、作業対象物を回避する作業用開口部が形成され、喫煙空間内から作業対象物に対する作業が可能であることを特徴とする喫煙ボックス。【選択図】図２
2020031823.tif 000002
【特許請求の範囲】
【請求項１】
設備の一部に配置された作業対象物を内包しつつ該設備に隣接配置されて喫煙空間を形成するボックス本体を具備する喫煙ボックスであって、
前記設備と対向する前記ボックス本体の一方の壁部には、前記作業対象物を回避する作業用開口部が形成され、
前記喫煙空間内から前記作業対象物に対する作業が可能であることを特徴とする喫煙ボックス。
【請求項２】
前記喫煙空間は、少なくとも１人の利用者を収容可能であり、
前記喫煙空間を介して前記一方の壁部と対向する他方の壁部には、前記喫煙空間内に利用者が出入可能な出入用開口部が設けられていることを特徴とする
請求項１に記載の喫煙ボックス。
【請求項３】
前記一方の壁部と前記設備との間に前記作業対象物を収容するためのスペーサ部を備えたことを特徴とする
請求項１に記載の喫煙ボックス。
【発明の詳細な説明】
【技術分野】
【０００１】
本発明は、喫煙ボックスに関する。
【背景技術】
【０００２】
従来から、喫煙者が利用する遊技場等の施設では、受動喫煙を防止する対策が非喫煙者等から要望されており、この要望に応じるため、施設内に喫煙ボックスを設置する対策がとられている（例えば、特許文献１）。喫煙ボックスは、施設内の空きスペースに設置され、具体的には、施設に設けられた特定の設備（例えば遊技機島）に隣接して配置される。
【先行技術文献】
【特許文献】
【０００３】
【特許文献１】特開２００６−３２８８４２公報
【発明の概要】
【発明が解決しようとする課題】
【０００４】
しかし、喫煙ボックスが隣接配置される設備には、管理者によるメンテナンス作業等が必要な各種の作業対象物（例えば、後述の金庫４０）が設けられる場合がある。以上の場合、喫煙ボックスの存在によって作業対象物に対する円滑な作業の進行が妨げられる虞がある。
【０００５】
以上の場合、作業対象物に対する作業が困難（実質的に不可能な場合を含む）になる不都合が生じ得る。以上の事情を考慮して、本発明は、喫煙ボックスが障害となって作業対象物に対する作業が困難になる不都合を抑制することができる喫煙ボックスを提供することを目的とする。
【課題を解決するための手段】
【０００６】
以上の課題を解決するために、本発明の喫煙ボックスは、設備の一部に配置された作業対象物を内包しつつ該設備に隣接配置されて喫煙空間を形成するボックス本体を具備する喫煙ボックスであって、設備と対向するボックス本体の一方の壁部には、作業対象物を回避する作業用開口部が形成され、喫煙空間内から作業対象物に対する作業が可能であることを特徴とする。以上の構成によれば、喫煙空間内から作業が可能であるため、喫煙ボックスが障害となり作業対象物に対する作業が困難になる不都合が抑制される。
【発明の効果】
【０００７】
本発明によれば、喫煙ボックスが障害となり作業対象物に対する作業が困難になる不都合が抑制される。
【図面の簡単な説明】
【０００８】
【図１】遊技場に設置された各構成を説明するための図である。
【図２】喫煙ボックスの概略構成を説明するための図である。
【図３】喫煙ボックスの作業用開口部を説明するための図である。
【図４】喫煙ボックスの設置方法の具体例を説明するための図である。
【図５】第２実施形態における喫煙ボックスを説明するための図である。
【発明を実施するための形態】
【０００９】
＜第１実施形態＞
図１は、遊技場に設置された各構成を説明するための図である。図１には、遊技場に設置された各遊技機１０の一部が示される。遊技場には複数の遊技機島２００が設けられ、各遊技機１０は何れかの遊技機島２００に設置される。例えば、図１に示す遊技機島２００には、５台の遊技機１０が設置される。遊技機島２００には、当該遊技機島２００の内部（各遊技機１０の裏側）を外部から遮蔽する妻板部２０１が設けられる。
【００１０】
遊技機１０としては、遊技球を遊技媒体として遊技可能なパチンコ機、または、遊技メダルを遊技媒体として遊技可能なパチスロ機が想定される。遊技機１０は、例えば大当り状態に移行した場合、遊技者に対して遊技媒体を付与する。図１に示す通り、遊技機島２００の上部には供給装置３０が設けられる。供給装置３０は、遊技機１０および遊技用装置２０の各々に遊技媒体を供給する。
【００１１】
図１に示す通り、遊技場には複数の遊技用装置２０が設置される。本実施形態では、１台の遊技機１０に対して１台の遊技用装置２０が設けられる。図１の具体例では、各遊技用装置２０は、当該遊技用装置２０に対応する遊技機１０に遊技媒体を貸出す手段であり、当該遊技機１０の左側に隣接して設けられる。図１に示す通り、遊技用装置２０には、紙幣が挿入可能な紙幣挿入口２１が設けられ、紙幣挿入口２１に紙幣が挿入された場合に遊技媒体が貸出可能になる。
【００１２】
図１には示されないが、遊技機島２００には１個の金庫４０（後述の図４参照）が設けられる。遊技機島２００に設置された複数の遊技用装置２０（紙幣挿入口２１）に挿入された紙幣は、遊技機島２００の内部の紙幣搬送経路２２（後述の図４（ａ−１）参照）を移動し、当該遊技機島２００の金庫４０に集約される。遊技用装置２０から金庫４０まで紙幣を搬送する技術としては、例えば、特許第６３３９７３２号公報に記載の技術が採用され得る。なお、遊技機島２００に複数個の金庫４０が設けられる構成としてもよい。
【００１３】
遊技場には喫煙ボックス１００が設置される。図１に示す通り、喫煙ボックス１００は、ボックス本体１０１およびスペーサ部１０２を含んで構成される。ボックス本体１０１にスペーサ部１０２が取外し可能に固定される。ボックス本体１０１の内部（喫煙空間）には、少なくとも略１人の利用者（喫煙者）が収容可能である。具体的には、本例に係る喫煙ボックス１００の外寸は、縦８００ｍｍ×横８００ｍｍ×高さ２４００ｍｍである。
【００１４】
一人用の喫煙ボックス１００は、例えば２人以上で利用される喫煙ボックスと比較して、設置に要するスペースがコンパクトになる。したがって、比較的狭いスペースにも設置し易いため、喫煙ボックス１００を設置可能な場所の自由度が増すという利点がある。ただし、喫煙ボックス１００を２人以上で利用可能な大きさにしてもよい。図１の具体例では、喫煙ボックス１００は遊技機島２００の妻板部２０１の外面に隣接（近接）配置される。なお、喫煙ボックス１００を遊技機島２００以外の設備に隣接配置する構成としてもよい。
【００１５】
喫煙ボックス１００は、ボックス本体１０１の天井面に排気装置５０（排気ファン１０９など）を具備する。排気装置５０は、ボックス本体１０１の天井面に貫通形成した排気孔を介してボックス本体１０１の内部と連通し、内部の煙を排気する。排気装置５０には、排気パイプＰ１が接続される。また、図１に示す通り、排気パイプＰ１は、遊技機島２００の上側（例えば遊技場の天井付近）に設けられた排気パイプＰ２に接続される。図１に示すボックス本体１０１の内部からの排気は、排気パイプＰ１を介して排気パイプＰ２に移動する。排気パイプＰ２の内部の排気は、遊技場に設けられた排気装置により、遊技場の外部に排出される。
【００１６】
スペーサ部１０２は、遊技機島２００（妻板部２０１）とボックス本体１０１との間に空間を確保するために設けられる。後述する金庫４０は、遊技機島２００の妻板部２０１の外面に設けられる。すなわち、金庫４０は、妻板部２０１とボックス本体１０１との間に設けられる。以上の構成は、スペーサ部１０２により確保される空間内に金庫４０が位置する、と言い換えることもできる。
【００１７】
スペーサ部１０２により確保される空間内に位置する金庫４０は、ボックス本体１０１の外部から視認困難（実質的に視認が不可能な場合を含む）に遮蔽される。以上の構成によれば、金庫４０から紙幣がボックス本体１０１内に入った管理者以外の人物により不正に取出される不正行為が抑制される。ただし、スペーサ部１０２により確保される空間に位置する金庫４０が外部から視認できる構成としてもよい。例えば、スペーサ部１０２を透明な部材で形成してもよい。
【００１８】
ところで、金庫４０（本発明の「作業対象物」の一例）に収納された紙幣を回収する作業は定期的に、例えば、遊技場の管理者により実施される。しかし、ボックス本体１０１を金庫４０の近傍に設置すると、当該金庫４０から紙幣を回収する作業において、当該ボックス本体１０１が障害になる不都合が生じ得る。
【００１９】
以上の事情を考慮して、本実施形態の喫煙ボックス１００は、上述の不都合が抑制される様に構成される。具体的には、喫煙ボックス１００では、金庫４０の近傍にボックス本体１０１を設置したとしても、金庫４０の内部から紙幣を円滑に回収することを可能としている。以上の本実施形態の構成を、以下において詳細に説明する。
【００２０】
図２（ａ）および図２（ｂ）は、本実施形態の喫煙ボックス１００の概略を説明するための図である。具体的には、図２（ａ）は、喫煙ボックス１００のうちボックス本体１０１の斜視図である。図２（ａ）は、ボックス本体１０１からスペーサ部１０２が取外された状態を示している。
【００２１】
図２（ａ）に示す通り、ボックス本体１０１は、前扉１０４、背面板１０５、右側面板１０６、左側面板１０７および天井板１０８を具備する。本実施形態では、前扉１０４、背面板１０５、右側面板１０６、左側面板１０７および天井板１０８を「壁板１２１」と総称する場合がある。壁板１２１の各々は略矩形である。
【００２２】
壁板１２１には、後述する通り透明な板部材を含むものがある。ボックス本体１０１は、透明な板部材を介して内部が視認可能となっている。図２（ａ）においては、ボックス本体１０１の内部に設けられた各構成のうち、透明な板部材を介して視認可能な構成（例えば、台座部１１２）が示されている。
【００２３】
ボックス本体１０１は、骨格となるフレーム１０３を具備する。フレーム１０３は、例えばアルミ等の金属で形成され、壁板１２１の各々は、フレーム１０３に設けられる。具体的には、ボックス本体１０１が設置された場合、内部で生じた煙が外部に漏れ難くなる様に、壁板１２１の各々がフレーム１０３に対して組み付けられる。
【００２４】
前扉１０４は、開状態および閉状態に移動可能にフレーム１０３に軸支される（後述の図３（ｂ−１）および図３（ｂ−２）参照）。詳細には後述するが、前扉１０４は、左扉板１０４Ｌおよび右扉板１０４Ｒを含んで構成される。前扉１０４が開状態の場合、出入用開口部１２０（後述の図３（ｃ）参照）から利用者がボックス本体１０１に出入可能になる。前扉１０４が閉状態の場合、前扉１０４の左右両端がフレーム１０３と隙間なく接し、出入用開口部１２０が塞がれる。
【００２５】
右側面板１０６は、ボックス本体１０１の外部から見た場合、前扉１０４の右辺側に設けられる。また、右側面板１０６は、前扉１０４に対して略垂直に設けられる。具体的には、フレーム１０３には、前扉１０４の右辺側に位置するとともに前扉１０４と略垂直な開口部が設けられる。右側面板１０６は、当該開口部を隙間なく塞ぐようにフレーム１０３に設けられる。
【００２６】
左側面板１０７は、ボックス本体１０１の外部から見た場合、前扉１０４の左辺側に設けられる。また、左側面板１０７は、前扉１０４に対して略垂直に設けられる。すなわち、左側面板１０７は、右側面板１０６に対して略平行に設けられる。具体的には、フレーム１０３には、前扉１０４の左辺側に位置するとともに前扉１０４と略垂直な開口部が設けられる。左側面板１０７は、当該開口を隙間なく塞ぐようにフレーム１０３に設けられる。
【００２７】
本実施形態の前扉１０４は、透明な板部材を含んで構成される。また、右側面板１０６および左側面板１０７は、前扉１０４と同様に、透明な板部材を含んで構成される。前扉１０４、右側面板１０６および左側面板１０７の板部材としては、例えば強化ガラスが好適に採用される。以上の構成では、喫煙ボックス１００の外部から内部の利用者を視認できる。したがって、例えば、利用時間、滞在時間が過度に長い不審な利用者を喫煙ボックス１００の外部から容易に確認できるという利点がある。
【００２８】
背面板１０５は、ボックス本体１０１の外部から見た場合、右側面板１０６の右辺側（左側面板１０７の左辺側）に設けられる。また、背面板１０５は、前扉１０４と略平行にフレーム１０３に設けられる。前扉１０４などの壁板１２１は、透明な板部材を含んで構成されるのに対し、背面板１０５は、スチール等の金属で形成される。
【００２９】
図２（ａ）に示す通り、背面板１０５には、作業用開口部１１６が形成される。詳細には後述するが、遊技場の管理者は、ボックス本体１０１の内部から作業用開口部１１６内に手を入れることで、作業用開口部１１６の近傍に位置する作業対象物（例えば金庫４０）に対してアクセスして各種の作業が可能である。
【００３０】
背面板１０５の外側面には、スペーサ部１０２が取付可能である。図２（ａ）に示す通り、背面板１０５には、作業用開口部１１６の外縁に沿って複数個のネジ穴が設けられる。当該ネジ穴を介して、スペーサ部１０２が背面板１０５に取付可能である。
【００３１】
天井板１０８は、他の壁板１２１（前扉１０４、背面板１０５、右側面板１０６および左側面板１０７）の上辺側に設けられる。具体的には、天井板１０８は、当該他の壁板１２１と略垂直（床に対して略水平）にフレーム１３０に設けられる。天井板１０８は、例えばスチール等の金属で形成される。ただし、天井板１０８を例えばアルミ複合製（アルミと樹脂の複合材）で形成してもよい。
【００３２】
図２（ａ）に示す通り、天井板１０８の上面側（ボックス本体１０１の外部側）に、排気装置５０を構成する排気ファン１０９が設けられる。排気ファン１０９により、ボックス本体１０１の内部が排気される。天井板１０８には、ボックス本体１０１の内部および外部を連通する開口部が形成される。
【００３３】
図２（ａ）に示す通り、天井板１０８の下面側（ボックス本体１０１の内部側）に、排気装置５０を構成する集煙フード１１０が設けられる。集煙フード１１０は、ボックス本体１０１の内部の煙を集煙し易い形状および位置に形成される。具体的には、集煙フード１１０は、薄い略箱状であり、内部は空洞である。集煙フード１１０の下面（利用者側の面）および側面には、複数個の集煙孔が設けられる。排気ファン１０９の内部および集煙フード１１０の内部は、天井板１０８の開口部を介して連通する。
【００３４】
図２（ａ）に示す通り、ボックス本体１０１内部には、集煙筒１１１が設けられる。集煙筒１１１は、内部が空洞の細長の部材であり、台座部１１２が設けられる。台座部１１２には、灰皿が設けられる。集煙筒１１１の台座部１１２の近傍には集煙孔が設けられる。集煙筒１１１の上端は集煙フード１１０の下面に接続される。また、集煙筒１１１の内部は集煙フード１１０の内部と連通する。
【００３５】
以上の構成では、排気装置５０の排気ファン１０９が作動した場合、ボックス本体１０１の内部の空気が集煙フード１１０および集煙筒１１１の集煙孔から吸引され排気パイプＰ（１、２）へ排気される。
【００３６】
図２（ａ）に示す通り、集煙筒１１１には電源ボックス１１３が設けられる。電源ボックス１１３の内部には電源基板が収納される。電源基板には外部（例えば遊技機島２００）から電圧が供給される。また、電源基板は、外部から供給された電源電圧から、排気ファン１０９に供給する電圧を生成する。
【００３７】
電源基板には電源スイッチが設けられ、当該電源スイッチがＯＮ状態に操作された場合、排気ファン１０９へ電圧が供給され、当該電源スイッチがＯＦＦ状態に操作された場合、排気ファン１０９への電圧の供給が停止される。電源ボックス１１３は鍵穴が設けられた蓋部を具備し、当該蓋部を開けることで、電源スイッチが操作可能になる。電源ボックス１１３の蓋部を解錠するための鍵は、例えば、遊技場の管理者が所持する。
【００３８】
図２（ａ）に示す通り、フレーム１０３の下端には、４個の足部１１４が設けられる。足部１１４は、例えば略円柱状であり、フレーム１０３の下端縁と床との間に予め定められた大きさの換気用の隙間部１２２を形成するために設けられる。排気ファン１０９が作動して、ボックス本体１０１の内部の空気が外部へ排出されることに伴い、フレーム１０３の下側の隙間部からボックス本体１０１の内部へ空気が流入する。なお、フレーム１０３を延長して足部１１４を形成してもよい。
【００３９】
図２（ａ）に示す通り、各足部１１４の上端はフレーム１０３に設けられる。また、各足部１１４の下端は固定用部材１１５に固定される。固定用部材１１５は、例えばスチール等の金属で形成され、喫煙ボックス１００を床に固定するためのネジ穴が設けられる。
【００４０】
図２（ｂ）は、スペーサ部１０２の斜視図である。図２（ｂ）に示す通り、スペーサ部１０２は、四角い環状のリブ１１７および遮蔽部１１８を含んで構成される。遮蔽部１１８は、各々が略矩形の外周を構成する４枚の側板と、前面側の第１開口部１１９ａと背面側の第２開口部１１９ｂとで構成される。スペーサ部１０２は、例えば、木材で形成される。
【００４１】
本実施形態では、第１開口部１１９ａから第２開口部１１９ｂまでの距離を「距離Ｌｙ」という。遊技機島２００の妻板部２０１の外面に第１開口部１１９ａおよび第２開口部１１９ｂが対向する様にスペーサ部１０２を設置した場合、ボックス本体と妻板部２０１との間に距離Ｌｙの空間が確保される（図４（ａ−２）参照）。
【００４２】
スペーサ部１０２のリブ１１７は、図２（ｂ）に示す通り、遮蔽部１１８の第１開口部１１９ａの周囲に設けられ、リブ１１７には複数のネジ穴が形成される。リブ１１７の各ネジ穴は、ボックス本体１０１の背面板１０５のネジ穴の各々に対応する。ボックス本体１０１の背面板１０５における特定の位置にスペーサ部１０２（リブ１１７）を密着させた場合、スペーサ部１０２の各ネジ穴は、当該ネジ穴に対応する背面板１０５のネジ穴と連通する。
【００４３】
スペーサ部１０２の各ネジ穴を背面板１０５の各ネジ穴と連通させた状態で、各ネジ穴をネジ留めすることで、スペーサ部１０２が背面板１０５（ボックス本体１０１）に取付けられる。また、スペーサ部１０２がボックス本体１０１に取付けられた状態で、各ネジ穴からネジを取り外すことで、スペーサ部１０２をボックス本体１０１から取外し可能である。
【００４４】
以上の通り、本実施形態のスペーサ部１０２は、ボックス本体１０１に取外し可能に構成される。なお、スペーサ部１０２をボックス本体１０１に取付ける方法は、以上の例に限定されない。また、スペーサ部１０２がボックス本体１０１から取外し不可能な構成としてもよい。詳細には後述するが、スペーサ部１０２をボックス本体１０１に取付けた場合、ボックス本体１０１の作業用開口部１１６とスペーサ部１０２の第１開口部１１９ａおよび第２開口部１１９ｂ（以下「スペーサ開口部１１９」と総称する）とが連通する（図４（ｂ−１）参照）。
【００４５】
図３（ａ）は、喫煙ボックス１００を前扉１０４側から見た正面図である。図３（ａ）に示す通り、前扉１０４は、左扉板１０４Ｌおよび右扉板１０４Ｒを含んで構成される。図３（ａ）の具体例では、前扉１０４が閉状態の場合を示している。前扉１０４が閉状態の場合、左扉板１０４Ｌおよび右扉板１０４Ｒは略同一面上に位置する。
【００４６】
前扉１０４は、ヒンジ部Ｊ１およびヒンジ部Ｊ２を具備する。ヒンジ部Ｊ１により、左扉板１０４Ｌの右端が右扉板１０４Ｒの左端に回転可能に軸支される。また、ヒンジ部Ｊ２により、右扉板１０４Ｒの右端がフレーム１０３に回転可能に軸支される。
【００４７】
図３（ｂ−１）は、遊技場の天井側から床側の方向（以下「下側方向」）へボックス本体１０１を見た場合の図である。図３（ｂ−１）では、前扉１０４が閉状態である。図３（ｂ−１）に示す通り、前扉１０４のうち左扉板１０４Ｌは、下側方向に見て反時計回りに回転可能にヒンジ部Ｊ１により軸支される。また、右扉板１０４Ｒは、下側方向に見て時計回りに回転可能にヒンジ部Ｊ２により軸支される。
【００４８】
図３（ｂ−２）は、前扉１０４が開状態に移動した場合のボックス本体１０１を説明するための図である。図３（ｂ−２）では、上述の図３（ｂ−１）と同様に、下側方向にボックス本体１０１を見た図である。図３（ｂ−２）に示す通り、前扉１０４が開状態の場合、左扉板１０４Ｌおよび右扉板１０４Ｒは、背面板１０５に対して略垂直（右側面板１０６に対して略平行）になり、互いに重なる。すなわち、前扉１０４が開状態の場合、前扉１０４の全体が折り畳められた状態になる。
【００４９】
図３（ｃ）は、上述の図３（ａ）と同様に、ボックス本体１０１を前扉１０４側から見た正面図である。ただし、図３（ａ）の具体例では、前扉１０４が閉状態であるのに対し、図３（ｃ）の具体例では、前扉１０４が開状態である。図３（ｃ）に示す通り、ボックス本体１０１の背面板１０５の作業用開口部１１６およびスペーサ開口部１１９は連通する。また、図３（ｃ）に示す通り、前扉１０４が開状態の場合、出入用開口部１２０が開放され、利用者がボックス本体１０１の内部に出入可能になる。
【００５０】
図３（ｃ）に示す通り、出入用開口部１２０は、作業用開口部１１６と対向する。以上の構成では、前扉１０４が開状態の場合、ボックス本体１０１の前扉１０４側の外部、ボックス本体１０１の内部（喫煙空間）、および、ボックス本体１０１の背面板１０５側の外部（遊技機島２００側の外部）の各々が同一直線上に連通する（後述の図４（ｂ−２）も参照）。
【００５１】
図３（ｄ）は、ボックス本体１０１を背面板１０５側から見た背面図である。なお、図３（ｄ）では、前扉１０４を省略して示す。図３（ｄ）に示す通り、ボックス本体１０１を背面板１０５側から見た場合、作業用開口部１１６の左端は、スペーサ開口部１１９の左端上に位置し、作業用開口部１１６の右端は、スペーサ開口部１１９の右端上に位置する。すなわち、作業用開口部１１６およびスペーサ開口部１１９の幅は略一致する。
【００５２】
図３（ｄ）に示す通り、作業用開口部１１６の上端の床からの高さおよびスペーサ開口部１１９の上端の床からの高さは略一致する。ただし、作業用開口部１１６およびスペーサ開口部１１９の幅が相違する構成としてもよい。また、作業用開口部１１６の上端の床からの高さおよびスペーサ開口部１１９の床からの高さが相違する構成としてもよい。
【００５３】
喫煙ボックス１００を設置した場合、スペーサ部１０２の遮蔽部１１８の底板は床に略接する。以上の構成では、スペーサ開口部１１９の下端（遮蔽部１１８の底板の上面）は、作業用開口部１１６の下端より下側に位置する。ただし、スペーサ開口部１１９の下端および作業用開口部１１６の下端が略同じ高さに位置する構成としてもよい。
【００５４】
詳細には後述するが、作業用開口部１１６は、その内部に遊技機島２００に設けた金庫４０の少なくとも一部が進入（設置）可能な大きさである。同様に、スペーサ開口部１１９は、その内部の少なくとも一部が遊技機島２００に設けた金庫４０が進入（設置）可能な大きさである。以上の構成では、スペーサ開口部１１９および作業用開口部１１６を介して、金庫４０の少なくとも一部分が喫煙ボックス１００の内部に収納可能である。
【００５５】
図４（ａ−１）は、遊技機島２００に設置された金庫４０を説明するための図である。上述した通り、遊技用装置２０の紙幣挿入口２１に挿入された紙幣は、金庫４０に集約され収納される。具体的には、図４（ａ−１）に示す通り、遊技機島２００の内部には紙幣搬送経路２２が設けられる。紙幣挿入口２１に挿入された紙幣は、紙幣搬送経路２２を介して金庫４０まで搬送される。紙幣搬送経路２２は、紙幣挿入口２１と略同じ高さに設けられる。
【００５６】
図４（ａ−１）に示す通り、金庫４０は、紙幣収納部４１および蓋部４２を含んで構成される。紙幣収納部４１の裏面板が遊技機島２００の妻板部２０１外面に固定される。本実施形態では、妻板部２０１の外面と直交する方向における金庫４０の長さを「厚さＬｘ」という。
【００５７】
紙幣収納部４１の裏面板には、紙幣搬送経路２２からの紙幣が進入可能な紙幣導入用開口が設けられ、当該紙幣導入用開口に進入した紙幣が紙幣収納部４１に収納される。紙幣収納部４１に収納された紙幣は、蓋部４２を開放することで回収可能になる。蓋部４２は施錠可能であり、蓋部４２を解錠するための鍵は、例えば遊技場の管理者が所持する。  
【００５８】
ところで、遊技者は、遊技機１０の前方に設置された椅子に座って遊技するのが通常である。また、遊技用装置２０は、椅子に座った遊技者よりも上側に（遊技者の頭上に）紙幣挿入口２１が位置する様に設置されるのが通常である。また、紙幣搬送経路２２および金庫４０の紙幣導入用開口は、紙幣挿入口２１と略同じ高さに設けられる場合が多いという事情がある。以上の事情から、金庫４０は、妻板部２０１の予め定められた高さ以上の位置に設けられるのが通常である（妻板部２０１の下辺近傍に設けられる事は少ない）。
【００５９】
また、金庫４０は、管理者が紙幣を回収する作業が可能な高さ（管理者の手が届く高さ）に位置する様に、遊技機島２００の妻板部２０１に設けられる。すなわち、金庫４０は、管理者の手が届かない高所には設けられないのが通常である。
【００６０】
本実施形態のボックス本体１０１の作業用開口部１１６は、金庫４０が上述した通常の高さに設置された場合、当該金庫４０内の紙幣を回収する作業がボックス本体１０１（喫煙空間）内から可能な位置および大きさに形成される。具体的には、当該作業用開口部１１６を介して金庫４０の蓋部４２を開放し、当該金庫４０の紙幣収納部４１から紙幣を回収する作業が喫煙空間内から可能な位置および大きさに、当該作業用開口部１１６は形成される。
【００６１】
また、本実施形態の喫煙ボックス１００の作業用開口部１１６は、遊技機島２００に設置された金庫４０が進入可能な位置および大きさに形成される。例えば、本実施形態の作業用開口部１１６は、上辺が床から約２０００ｍｍに位置し、下辺が床から約４００ｍｍに位置する大きさに形成される。すなわち、作業用開口部１１６の上下方向の長さは約１６００ｍｍである。また、作業用開口部１１６の左右方向の長さは、金庫４０の左右方向の長さより長く形成される。具体的には、作業用開口部１１６の左右方向の長さは約６００ｍｍである。ただし、作業用開口部１１６の大きさは適宜に変更できる。
【００６２】
図４（ａ−２）は、遊技機島２００に設置された金庫４０および喫煙ボックス１００を説明するための図である。なお、図４（ａ−２）では、排気ファン１０９を省略して示す。
【００６３】
図４（ａ−２）の具体例では、スペーサ部１０２（遮蔽部１１８）が遊技機島２００の妻板部２０１と接する様に、ボックス本体１０１が設置された具体例を示す。以上の場合、スペーサ部１０２で遮蔽され、ボックス本体１０１の外部から金庫４０が視認できない。また、以上の図４（ａ−２）の具体例では、ボックス本体１０１から妻板部２０１までの距離は約Ｌｙになる。図４（ａ−２）の具体例では、金庫４０の厚さＬｘが距離Ｌｙより長い場合を想定する。
【００６４】
図４（ｂ−１）は、喫煙ボックス１００の断面図である。具体的には、図４（ｂ−１）は、図４（ａ−２）におけるＡ−Ａ線の断面図である。図４（ｂ−１）の具体例では、上述の図４（ａ−２）と同様に、金庫４０の厚さＬｘが距離Ｌｙより長い場合を想定する。以上の場合、図４（ｂ−１）に示す通り、金庫４０の一部分がボックス本体１０１の内部に位置する。すなわち、壁板１２１（背面板１０５）よりもボックス本体１０１の中心側に金庫４０の一部分が位置する。以上の構成は、金庫４０の一部分が喫煙空間に収納されるとも換言される。
【００６５】
ボックス本体１０１に作業用開口部１１６が形成されない対比例を想定すると、遊技機島２００の妻板部２０１から喫煙ボックス１００のボックス本体１０１までの距離を金庫４０の厚さＬｘよりも短くできない事態が発生する。この場合、妻板部２０１の外面からボックス本体１０１の背面までの距離が金庫４０の厚さＬｘよりも長くなる様に、ボックス本体１０１を妻板部２０１から離して設置せざるを得ない。
【００６６】
上述した通り、本実施形態の喫煙ボックス１００は、妻板部２０１からボックス本体１０１までの距離が金庫４０（作業対象物）の厚さＬｘよりも短くなる位置であっても設置できる。したがって、例えば上述の対比例と比較して、喫煙ボックス１００が設置可能なスペースの自由度が向上するという利点がある。
【００６７】
ところで、管理者による作業を要する作業対象物によっては、例えば金庫４０の様に、蓋部４２のような可動な操作対象物が設けられる場合があり、この場合には蓋部を開放させる必要がある。以上の場合、当該作業対象物の蓋部の前方に、当該蓋部を開放させるための空間を確保する必要がある。
【００６８】
例えば、図４（ｂ−１）の具体例では、金庫４０から紙幣を回収する場合、蓋部４２を回動軸部を中心として開放させるための空間として、金庫４０の前側に距離Ｌｚの空間が必要である。本実施形態では、金庫４０の前側に利用者が滞在して喫煙するための充分なスペースを有した空間（喫煙空間）が位置するため、必然的に金庫４０の前側に距離Ｌｚより大きい空間が形成される。したがって、喫煙空間において、金庫４０の蓋部４２を開放し、紙幣を回収する作業が可能である。
【００６９】
以上の説明から理解される通り、本実施形態の喫煙ボックス１００によれば、作業用開口部１１６内に金庫４０の少なくとも一部が配置されるため、当該作業用開口部１１６を介して金庫４０の蓋部４２を開放し、当該金庫４０の紙幣収納部４１から紙幣を回収する作業が喫煙空間内から可能である。したがって、喫煙ボックス１００を可能な限り金庫４０（遊技機島２００）に近接して設置したいという要請がある場合に、当該喫煙ボックス１００が障害となって金庫４０に対する作業が困難になるという不都合がなくなる。
【００７０】
しかし、金庫４０の厚みＬｘ、および、蓋部４２を開放するために要する空間の距離Ｌｚの長さによっては、紙幣の回収作業ができる喫煙空間におけるスペースが狭くなる不都合が想定される。以上の事情を考慮して、本実施形態の喫煙ボックス１００は、紙幣の回収作業ができるスペースを喫煙空間より拡張可能に構成している。
【００７１】
図４（ｂ−２）は、紙幣の回収作業ができるスペースを喫煙空間より拡張可能とする構成を説明するための図である。図４（ｂ−２）の具体例では、金庫４０の蓋部４２が開放された状態を示す。また、図４（ｂ−２）の具体例では、前扉１０４が開状態の場合を想定する。以上の場合、出入用開口部１２０が開放され、喫煙ボックス１００の内部（喫煙空間）および外部が連通する。
【００７２】
図４（ｂ−２）に示す通り、作業用開口部１１６および出入用開口部１２０は、喫煙空間を介して対向する様に構成される。金庫４０（作業対象物）は、前扉１０４側から見た場合、作業用開口部１１６の内側に位置する。したがって、上述の構成では、金庫４０と出入用開口部１２０とは対向した位置関係にある。
【００７３】
以上の本実施形態では、図４（ｂ−２）から理解される通り、ボックス本体１０１の外部（出入用開口部１２０の近傍）が紙幣の回収作業のスペースとして利用できる。すなわち、以上の本実施形態によれば、前扉１０４が開状態の場合、紙幣の回収作業ができるスペースが金庫４０の前方向に拡張される。以上の構成によれば、紙幣の回収作業ができる空間が金庫４０の前側に十分に確保できるという利点がある。
【００７４】
＜第２実施形態＞
本発明の他の実施形態を以下に説明する。なお、以下に例示する各形態において作用や機能が第１実施形態と同等である要素については、第１実施形態の説明で参照した符号を流用して各々の詳細な説明を適宜に省略する。
【００７５】
図５（ａ）から図５（ｄ）は、第２実施形態の喫煙ボックス１００を説明するための図である。第２実施形態の喫煙ボックス１００は、第１実施形態の喫煙ボックス１００と同様に、ボックス本体１０１およびスペーサ部１０２を含んで構成される。ただし、第２実施形態の喫煙ボックス１００、および、第１実施形態の喫煙ボックス１００は、スペーサ部１０２の形状、および、スペーサ部１０２が取付られるボックス本体１０１の位置が相違する。また、第１実施形態および第２実施形態では、作業用開口部１１６が形成される領域が相違する。
【００７６】
図５（ａ）は、第２実施形態のスペーサ部の斜視図であり、ボックス本体１０１から取外されたスペーサ部が示される。第２実施形態のスペーサ部１０２は、第１遮蔽板１０２ａおよび第２遮蔽板１０２ｂを含んで構成される。第１遮蔽板１０２ａおよび第２遮蔽板１０２ｂは、別々にボックス本体１０１に取付けられる。
【００７７】
図５（ａ）に示す通り、第１遮蔽板１０２ａおよび第２遮蔽板１０２ｂは、略板状の部材である。また、第１遮蔽板１０２ａの各長辺のうち一方の長辺に沿って複数のネジ穴が形成される。以上の各ネジ穴を介して、第１遮蔽板１０２ａはボックス本体１０１に取付可能である。同様に、第２遮蔽板１０２ｂの各長辺のうち一方の長辺に沿って複数のネジ穴が形成される。
【００７８】
図５（ｂ−１）は、右側面板１０６側から見たボックス本体１０１の外観図であり、スペーサ部１０２が取外されたボックス本体１０１を示す。フレーム１０３には、図５（ｂ−１）において網掛けで示すスペーサ部固定用の領域Ｒａが設けられ、領域Ｒａは、右側面板１０６と略同一面上に位置し、右側面板１０６の右辺側に設けられる。
【００７９】
フレーム１０３の領域Ｒａには、複数のネジ穴が縦方向一列に形成される。フレーム１０３の領域Ｒａに第１遮蔽板１０２ａを所定の位置関係で密着させた場合、フレーム１０３のネジ穴の各々が第１遮蔽板１０２ａの各ネジ穴に連通する。各ネジ穴をネジ留めすることで、第１遮蔽板１０２ａがフレーム１０３（ボックス本体１０１）に取付けられる。
【００８０】
図５（ｂ−２）は、左側面板１０７側から見たボックス本体１０１の外観図であり、スペーサ部１０２が取外されたボックス本体１０１を示す。フレーム１０３には、図５（ｂ−２）において網掛けで示すスペーサ部固定用の領域Ｒｂが設けられ、領域Ｒｂは、左側面板１０７と略同一面上に位置し、左側面板１０７の左辺側に設けられる。
【００８１】
フレーム１０３の領域Ｒｂには、複数のネジ穴が縦方向一列に形成される。フレーム１０３の領域Ｒｂに第２遮蔽板１０２ｂを所定の位置関係で密着させた場合、フレーム１０３のネジ穴の各々が第２遮蔽板１０２ｂの各ネジ穴に連通する。各ネジ穴をネジ留めすることで、第２遮蔽板１０２ｂがフレーム１０３（ボックス本体１０１）に取付けられる。
【００８２】
図５（ｂ−３）は、第２実施形態における作業用開口部１１６の背面図である。第２実施形態の喫煙ボックス１００は、上述の第１実施形態のボックス本体１０１から背面板１０５を省略した構成である。以上の第２実施形態の喫煙ボックス１００では、図５（ｂ−３）に示す通り、第１実施形態の喫煙ボックス１００において背面板１０５が設けられた領域が作業用開口部１１６となる。
【００８３】
図５（ｃ）は、喫煙ボックス１００の設置方法の具体例を説明するための図であり、第１実施形態の図４（ａ−２）に対応する。図５（ｃ）では、図４（ａ−２）と同様に、スペーサ部１０２が遊技機島２００の妻板部２０１と接する様に、ボックス本体１０１が設置された具体例を示す。以上の場合、ボックス本体１０１と妻板部２０１との間に距離Ｌｗの空間が形成されており、スペーサ部１０２により視界が遮蔽され、喫煙ボックス１００の左右方向から金庫４０が視認困難になる。
【００８４】
図５（ｄ）は、図５（ｃ）における喫煙ボックス１００のＢ−Ｂ線断面図である。図５（ｄ）は、第１実施形態の図４（ｂ−１）に対応する。図５（ｄ）の構成例では、上述の図４（ｂ−１）と同様に、金庫４０の厚さＬｘが距離Ｌｗより長い場合を想定する。以上の場合、図５（ｄ）に示す通り、金庫４０の一部分がボックス本体１０１の内部に位置しており金庫４０の一部分が喫煙空間に収納される。
【００８５】
以上の第２実施形態では、第１実施形態と同様な効果が奏される。また、第２実施形態では、ボックス本体１０１を設置した状態で、作業用開口部１１６の下辺が床に近接する。したがって、妻板部２０１の下辺（遊技場の床）近傍に作業対象物が位置する場合であっても、作業用開口部１１６を介して、喫煙空間の内部から当該作業対象物に対して作業が可能である。
【００８６】
例えば、複数のパチスロ機が設置された遊技機島２００の内部に、当該パチスロ機に貯留されたメダルを回収可能な回収コンベアを設けた技術が従来から知られている（例えば、特開平１０−２１１３４８号公報参照）。以上の技術では、回収コンベアのメダルが回収ボックスに集約される。遊技場の管理者は、回収ボックスのメダルを洗浄するため、定期的にメダルを回収する。以上の回収ボックスは、遊技機島２００の妻板部２０１の下辺側に設けられるのが通常である。第２実施形態によれば、妻板部２０１の下辺側に設けられた回収ボックスに対する作業が作業用開口部１１６を介して可能である。
【００８７】
＜変形例＞
以上の各形態は多様に変形される。具体的な変形の態様を以下に例示する。以下の例示から任意に選択された２以上の態様は適宜に併合され得る。
【００８８】
（１）上述の各形態では、図２（ｂ）に示すスペーサ部１０２および図５（ａ）に示すスペーサ部１０２を例示したが、スペーサ部１０２は以上の構成例に限定されない。例えば、以上の各スペーサ部１０２では、ボックス本体１０１から妻板部２０１までの間に距離Ｌ（ｙ、ｗ）が確保される構成において、作業対象物（例えば金庫４０）の厚さＬｘより距離Ｌ（ｙ、ｗ）が小さい構成としたが、距離Ｌ（ｙ、ｗ）が厚さＬｘより長い構成としてもよい。また、喫煙ボックス１００がスペーサ部１０２を備えない構成としてもよい。
【００８９】
（２）上述の各形態では、台座部１１２（灰皿）が設けられた集煙筒１１１を背面板１０５側のフレーム１０３に設けた。しかし、集煙筒１１１が設けられる位置は以上の例に限定されない。例えば、左側面板１０７の上辺（下辺）の二等分線上に集煙筒１１１が設けられる構成としてもよい。以上の構成によれば、背面板１０５側に集煙筒１１１が設けられる構成（例えば上述の第１実施形態）と比較して、作業用開口部１１６の近傍での作業において、集煙筒１１１が障害になり難いという利点がある。また、集煙筒１１１（台座部１１２、電源ボックス１１３を含む）が喫煙ボックス１００の内部に設けられない構成としてもよい。
【００９０】
（３）上述の各形態において、喫煙ボックス１００にイオン発生装置を設けてもよい。喫煙ボックス１００に設けるイオン発生装置としては、例えば、特開２０１２−１６０３０７号公報に記載のイオン発生装置が好適に採用され得る。以上のイオン発生装置は、内部でイオンを生成可能であるとともに、各々が内部および外部を連通する空気の流入口および流出口が設けられる。以上のイオン発生装置を通風路に設けた場合、内部で発生されたイオンが流出口から放出される。
【００９１】
上述した通り、排気ファン１０９が作動している場合、フレーム１０３の下辺および固定用部材１１５の間の隙間部１２２から喫煙ボックス１００の内部へ空気が流入する。すなわち、以上の隙間部１２２は通風路として機能する。以上の隙間部１２２に上述のイオン発生装置を設置することで、当該イオン発生装置で発生したイオンを喫煙ボックス１００の内部に効率的に放出することができる。
【００９２】
（４）上述の各形態において、作業用開口部１１６を塞ぐ蓋部材を設けてもよい。以上の蓋部材は、例えば背面板１０５に着脱自在に固定され、スチール等の金属で形成される。蓋部材が取付けられた状態では、作業用開口部１１６が当該蓋部材で塞がれる。一方、蓋部材が取外された状態では、作業用開口部１１６が開放される。以上の構成では、蓋部材を取外すことで、作業対象物に対する作業が可能になる。
【００９３】
また、背面板１０５に開閉可能な窓部材を設け、当該窓部材が開状態の場合、作業用開口部１１６が開放され、当該窓部材が閉状態の場合、作業用開口部１１６が塞がれる構成としてもよい。さらに、当該窓部材が施錠可能な構成としてもよい。以上の構成では、喫煙ボックス１００の内部から金庫４０を不正に開放する行為が抑制される。また、喫煙ボックス１００の電源ボックス１１３を解錠するための鍵、および、上述の窓部材を解錠するための鍵を共通としてもよい。以上の構成によれば、電源ボックス１１３のメンテナンス作業および金庫４０から紙幣を回収する作業が一度に実施し易いという利点がある。
【００９４】
（５）以上の各形態において、作業用開口部１１６および出入用開口部１２０が対向しない構成としてもよい。例えば、第１実施形態に示す喫煙ボックス１００において、前扉１０４および左側面板１０７の位置を入替えた構成としてもよい。以上の構成では、作業用開口部１１６および出入用開口部１２０は対向しない。
【００９５】
（６）上述の各形態の喫煙ボックス１００において、喫煙ボックス１００を妻板部２０１に隣接配置し、且つ、前扉１０４を開放した状態で、排気装置５０を作動させた場合を想定する。以上の場合において、喫煙ボックス１００は、出入用開口部１２０を介して約０．２ｍ／秒以上の風速で喫煙空間の内部に空気が移動する性能（分煙性能）を有するのが好適である。喫煙ボックス１００における排気装置５０（排気ファン１０９の排気風量）および集煙筒１１１（集煙孔）の構成は、喫煙空間が上述の分煙性能を有する範囲で適宜に変更してもよい。
【００９６】
上述の各形態では、例えば、喫煙ボックス１００がスペーサ部１０２を具備する場合に、スペーサ部１０２が妻板部２０１に略接する様にボックス本体１０１を設置すると、約０．２ｍ／秒以上の風速で、出入用開口部１２０を介して喫煙空間の内部に空気が移動する。また、喫煙ボックス１００がスペーサ部１０２を具備しない場合に、ボックス本体１０１（背面板１０５）が妻板部２０１に略接する様に喫煙ボックス１００を設置すると、約０．２ｍ／秒以上の風速で、出入用開口部１２０を介して喫煙空間の内部に空気が移動する。
【００９７】
ただし、喫煙ボックス１００を妻板部２０１から所定距離離間させて設置した場合であっても、約０．２ｍ／秒以上の風速で、出入用開口部１２０を介して喫煙空間の内部に空気が移動する構成としてもよい。さらに、ボックス本体１０１を妻板部２０１に対して離間配置した場合であっても、約０．２ｍ／秒以上の風速で、出入用開口部１２０および作業用開口部１１６の双方から喫煙空間の内部に空気が移動する構成としてもよい。例えば、比較的大きな排気風量の排気ファン１０９を採用することで、以上の構成が実現される。
【００９８】
本発明の喫煙ボックスは、例えば以下の喫煙ボックスである。
【００９９】
本発明の喫煙ボックスは、設備（遊技機島２００等）の一部に配置された作業対象物（金庫４０等）を内包しつつ該設備に隣接配置されて喫煙空間を形成するボックス本体を具備する喫煙ボックスであって、設備と対向するボックス本体の一方の壁部（背面板１０５）には、作業対象物を回避する作業用開口部（１１６）が形成され（図２（ａ）参照）、喫煙空間内から作業対象物に対する作業が可能であることを特徴とする喫煙ボックス。以上の構成によれば、喫煙空間内から作業が可能であるため、喫煙ボックスが障害となり作業対象物に対する作業が困難になる不都合が抑制される。
【０１００】
本発明の喫煙ボックスの好適な態様として、喫煙空間は、少なくとも１人の利用者を収容可能であり、喫煙空間を介して一方の壁部と対向する他方の壁部には、喫煙空間内に利用者が出入可能な出入用開口部（１２０）が設けられている（図３（ｃ）参照）。以上の構成によれば、作業用開口部を介して作業対象物に対する作業をする場合において、出入用開口部の外側の空間を作業スペースとして利用できるという利点がある。
【０１０１】
本発明の喫煙ボックスの好適な態様として、一方の壁部と設備との間に作業対象物を収容するためのスペーサ部（１０２）を備えたことを特徴とする（図２（ｂ）参照）。以上の構成によれば、作業用開口部および作業対象物を対向させた場合に壁部および当該作業対象物が設置される壁の間に空間を確保することができる。
【符号の説明】
【０１０２】
１００…喫煙ボックス、１０１…ボックス本体、１０２…スペーサ部、１０３…フレーム、１０４…前扉、１０５…背面板、１０６…右側面板、１０７…左側面板、１０８…天井板、１０９…排気ファン、１１０…集煙フード、１１１…集煙筒、１１２…台座部、１１３…電源ボックス、１１４…足部、１１５…固定用部材、１１６…作業用開口部、１１７…リブ、１１８…遮蔽部、１２０…出入用開口部、１２１…壁板、１３０…フレーム。
【図１】
2020031823.tif 000003
【図２】
2020031823.tif 000004
【図３】
2020031823.tif 000005
【図４】
2020031823.tif 000006
【図５】
2020031823.tif 000007
【手続補正書】
【提出日】平成31年3月8日(2019.3.8)
【手続補正１】
【補正対象書類名】特許請求の範囲
【補正対象項目名】全文
【補正方法】変更
【補正の内容】
【特許請求の範囲】
【請求項１】
設備の一部に配置された作業対象物を内包しつつ該設備に隣接配置されて喫煙空間を形成するボックス本体を具備する喫煙ボックスであって、
前記設備と対向する前記ボックス本体の一方の壁部には、前記作業対象物を回避する作業用開口部が形成され、
前記喫煙空間内から前記作業対象物に対する作業が可能であり、
前記一方の壁部と前記設備との間に前記作業対象物を収容するためのスペーサ部を備えたことを特徴とする喫煙ボックス。
【請求項２】
設備の一部に配置された作業対象物を内包しつつ該設備に隣接配置されて喫煙空間を形成するボックス本体を具備する喫煙ボックスであって、
前記設備と対向する前記ボックス本体の一方の壁部には、前記作業対象物を回避する作業用開口部が形成され、
前記喫煙空間内から前記作業対象物に対する作業が可能であり、
前記喫煙空間は、少なくとも１人の利用者を収容可能であり、
前記喫煙空間を介して前記一方の壁部と対向する他方の壁部には、前記喫煙空間内に利用者が出入可能な出入用開口部が設けられていることを特徴とする喫煙ボックス。
【手続補正２】
【補正対象書類名】明細書
【補正対象項目名】０００６
【補正方法】変更
【補正の内容】
【０００６】
以上の課題を解決するために、本発明の喫煙ボックスは、設備の一部に配置された作業対象物を内包しつつ該設備に隣接配置されて喫煙空間を形成するボックス本体を具備する喫煙ボックスであって、設備と対向するボックス本体の一方の壁部には、作業対象物を回避する作業用開口部が形成され、喫煙空間内から作業対象物に対する作業が可能であり、一方の壁部と設備との間に作業対象物を収容するためのスペーサ部を備えたことを特徴とする。以上の構成によれば、喫煙空間内から作業が可能であるため、喫煙ボックスが障害となり作業対象物に対する作業が困難になる不都合が抑制される。